(57)【特許請求の範囲】
【請求項１】
空気を冷却する冷却器と、
前記冷却器に付着した霜を溶かす霜取りヒータと、
前記冷却器の側面に設けられた電気品配線と、
前記冷却器の下方に設けられ、前記霜取りヒータにより溶かされた霜である除霜水を受ける除霜水受けトレイと、
外箱と内箱との間に断熱材が充填されて構成されている断熱箱体と、を備え、
前記除霜水受けトレイの側壁の外側には、前記電気品配線の結線部を収納する収納部が設けられており、
前記収納部は、底面側が開口しており、前記内箱に一部が埋設されている
冷蔵庫。
【請求項２】
前記断熱箱体の内部には、食品を保存する空間である食品保存室と、前記冷却器が配置される空間である冷却室とが形成されており、
前記食品保存室と前記冷却室とを区画する仕切り板を備え、
前記収納部の前面部は、前記仕切り板と接している
請求項１に記載の冷蔵庫。
【請求項３】
空気を冷却する冷却器と、
前記冷却器に付着した霜を溶かす霜取りヒータと、
前記冷却器の側面に設けられた電気品配線と、
前記冷却器の下方に設けられ、前記霜取りヒータにより溶かされた霜である除霜水を受ける除霜水受けトレイと、を備え、
前記除霜水受けトレイの側壁の外側には、前記電気品配線の結線部を収納する収納部が設けられており、
前記収納部は、底面側が開口しており、前記除霜水受けトレイのその他の部分と一体に成型されている
冷蔵庫。
【発明の詳細な説明】
【技術分野】
【０００１】
本発明は、除霜水受けトレイを備えた冷蔵庫に関するものである。
【背景技術】
【０００２】
従来、冷蔵庫には、冷却器に付着した霜を溶かすための霜取りヒータが内蔵されており、冷却器の下部には、除霜水を受けるための除霜水受けトレイが設置されている。そして、冷却器に付着した霜は、霜取りヒータによって溶かされて除霜水となり、その除霜水は、冷却器を伝って冷蔵庫下部へと流れていき、除霜水受けトレイに受けられた後、除霜水受けトレイから冷蔵庫外へと排出される。【０００３】
除霜水受けトレイにおいて、霜取りヒータなどの電気品配線の収納空間が設けられているものがある（例えば、特許文献１参照）。特許文献１の除霜水受けトレイには、一側面に空間部が形成されており、その空間部に電気品配線が収納される構造となっている。
【先行技術文献】
【特許文献】
【０００４】
【特許文献１】実開昭５６−２９７７９号公報
【発明の概要】
【発明が解決しようとする課題】
【０００５】
特許文献１に記載の除霜水受けトレイの空間部は、上向きに開放されているため、除霜水が空間部に流入する恐れがあった。また、除霜水が空間部に流入して溜まった場合、電気品配線の先端部に設けられている結線部が除霜水に浸漬する恐れがあった。【０００６】
本発明は、以上のような課題を解決するためになされたもので、電気品配線の結線部が除霜水に浸漬するのを抑制する冷蔵庫を提供することを目的としている。
【課題を解決するための手段】
【０００７】
本発明に係る冷蔵庫は、空気を冷却する冷却器と、前記冷却器に付着した霜を溶かす霜取りヒータと、前記冷却器の側面に設けられた電気品配線と、前記冷却器の下方に設けられ、前記霜取りヒータにより溶かされた霜である除霜水を受ける除霜水受けトレイと、外箱と内箱との間に断熱材が充填されて構成されている断熱箱体と、を備え、前記除霜水受けトレイの側壁の外側には、前記電気品配線の結線部を収納する収納部が設けられており、前記収納部は、底面側が開口しており、前記内箱に一部が埋設されているものである。
【発明の効果】
【０００８】
本発明に係る冷蔵庫によれば、電気品配線の結線部を収納する収納部は、底面側が開口しているため、電気品配線の結線部が除霜水に浸漬するのを抑制することができる。
【図面の簡単な説明】
【０００９】
【図１】本発明の実施の形態に係る冷蔵庫の縦断面図である。
【図２】本発明の実施の形態に係る冷蔵庫の冷却器の周辺図である。
【図３】本発明の実施の形態に係る冷蔵庫の除霜水受けトレイを上方から見た斜視図である。
【図４】本発明の実施の形態に係る冷蔵庫の除霜水受けトレイを下方から見た斜視図である。
【図５】図２のＶ−Ｖ断面図に沿う除霜水受けトレイの側面断面図である。
【図６】図２のＸ−Ｘ断面図に沿う除霜水受けトレイの収納部の断面図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。また、以下に説明する実施の形態では、冷蔵庫を正面視した状態において、「上」、「下」、「右」、「左」、「前」、「後」などを使用する。
【００１２】
実施の形態．
図１は、本発明の実施の形態に係る冷蔵庫１００の縦断面図である。図２は、本発明の実施の形態に係る冷蔵庫１００の冷却器８の周辺図である。
以下、本実施の形態に係る冷蔵庫１００の構成について、図１および図２を用いて説明する。
図１に示すように、冷蔵庫１００は、前面が開口して内部に食品保存空間が形成された断熱箱体１を備えている。この断熱箱体１は、外郭を構成する鋼板製の外箱１ｂと、外箱１ｂの内側に配置されたＡＢＳ樹脂などの薄肉硬質樹脂製の内箱１ａと、の間に発泡ポリウレタンなどの断熱材１ｃが充填されて構成されている。
【００１３】
断熱箱体１の内部に形成された食品保存空間は、複数の棚４により食品を保存する複数の食品保存室３に区画されており、食品保存室３のそれぞれには、バスケット５が設けられている。また、食品保存室３の前面に形成された開口部には、当該開口部を開閉する扉２が設けられており、扉２で開口部を塞ぐことで、食品保存室３の温度調節が可能となっている。
【００１４】
断熱箱体１の内部の背面側には、冷却室６が形成されており、仕切り板１０によって食品保存室３と冷却室６とに区画されている。冷却室６には庫内ファン７、冷却器８、および、除霜水受けトレイ９が設けられており、内箱１ａ、冷却器８、および、除霜水受けトレイ９は、仕切り板１０と接している。
【００１５】
除霜水受けトレイ９の底面には、ドレンパイプ１２の一端が接続されている。また、断熱箱体１の背面側の下部には、圧縮機１４が設けられている。圧縮機１４の上部には蒸発皿１３が設けられており、蒸発皿１３の上方にはドレンパイプ１２の他端が配置されている。
【００１６】
除霜水受けトレイ９は、樹脂で成型されたものであり、冷却器８の下方に設けられて、滴下した除霜水を受けるものである。
【００１７】
冷蔵庫１００は、冷媒が循環する冷媒回路を備えており、冷媒回路は、圧縮機１４、凝縮器（図示せず）、絞り装置（図示せず）、および、冷却器８が配管で順次接続されて構成されている。
【００１８】
圧縮機１４は、冷媒を吸入し、その冷媒を圧縮して高温高圧の状態にするものであり、例えば周波数が可変のインバータ圧縮機である。冷却器８は、空気を低温の冷媒と熱交換して冷却するものである。庫内ファン７は、冷却室６から冷却器８により冷却された空気を食品保存室３へ吹き出すものであり、冷却された空気は食品保存室３を回り、食品保存室３の下部から冷却室６へと送られる。
【００１９】
図２に示すように、冷却器８の下部には、冷却器８に付着した霜を溶かす霜取りヒータ１１が設けられている。また、霜取りヒータ１１の上部には、除霜水が霜取りヒータ１１に直接かからないように霜取りヒータ固定用板金１７が設けられており、霜取りヒータ固定用板金１７は、霜取りヒータ１１を固定している。また、冷却器８の側面には、電気品配線１６が設けられており、電気品配線１６には、安全保護のため温度ヒューズ１５が組み込まれている。この温度ヒューズ１５により、万が一、霜取りヒータ１１の温度が上昇し続けた場合であっても、物理的に電気的な接続を遮断できる仕組みとなっている。
【００２０】
圧縮機１４が動作して食品保存室３の冷却が開始されると、冷却器８に霜が徐々に積層する。そこで、圧縮機１４が動作を開始して一定時間が経過した後、霜取りヒータ１１がＯＮして、冷却器８に付着した霜を除去する霜取動作が開始される。霜取動作が開始されると、霜取りヒータ１１により冷却器８に付着した霜が溶かされて除霜水となり、その除霜水は、冷却器８、温度ヒューズ１５、電気品配線１６、および、内箱１ａなどを伝い、除霜水受けトレイ９に流入する。除霜水受けトレイ９に流入した除霜水は、ドレンパイプ１２を通って圧縮機１４の上部の蒸発皿１３に流入する。そして、蒸発皿１３に流入した除霜水は、圧縮機１４の動作によって発生した熱により蒸発させられる。
【００２１】
図３は、本発明の実施の形態に係る冷蔵庫１００の除霜水受けトレイ９を上方から見た斜視図である。図４は、本発明の実施の形態に係る冷蔵庫１００の除霜水受けトレイ９を下方から見た斜視図である。
除霜水受けトレイ９は、底面に除霜水受け部９ａが設けられている。また、除霜水受けトレイ９の底面の中央部には、排水口９ｃが設けられている。除霜水受け部９ａは、除霜水受けトレイ９の短手側の側面から排水口９ｃに向かって下方に傾斜して設けられており、上方より滴下してくる除霜水を受けた後、排水口９ｃに導くようになっている。そして、排水口９ｃにはドレンパイプ１２の一端が接続されており、排水口９ｃに導かれた除霜水は、ドレンパイプ１２を通って蒸発皿１３に流入する。そして、上述の通り、蒸発皿１３に流入した除霜水は、圧縮機１４の動作熱により蒸発させられる。
【００２２】
除霜水受けトレイ９は、側面に側壁９ｇが設けられている。また、除霜水受けトレイ９の短手側の側壁９ｇの内側には、霜取りヒータ固定用板金１７を取り付けるための板金取付部９ｂと、電気品配線１６を固定して電気品配線１６が霜取りヒータ１１側に近づくのを抑制するための配線固定部９ｆとが設けられている。
【００２３】
除霜水受けトレイ９の短手側の側壁９ｇの外側には、電気品配線１６および電気品配線１６の先端部に設けられている結線部１８（後述する図６参照）を収納するための収納部９ｅが設けられている。この収納部９ｅは、除霜水受けトレイ９のその他の部分と一体に成型されている。このように、収納部９ｅが除霜水受けトレイ９のその他の部分と一体に成型されることで、部品点数が少なくなり、内箱１ａへの組付けが容易となる。さらに、収納部９ｅと除霜水受けトレイ９のその他の部分との間に隙間がないので、その隙間から除霜水などが除霜水受けトレイ９外に流入する心配がない。また、収納部９ｅは、底面側のみが開口しているため、冷却器８から除霜水が滴下してきたとしても、除霜水が電気品配線１６および結線部１８に浸入するのを抑制することができる。
【００２４】
また、除霜水受けトレイ９の短手側の側壁９ｇの外側に収納部９ｅを設けることで、除霜水受けトレイ９の近傍に配置された結線部１８を除霜水で濡らさないよう遠方へ逃がす必要がない。つまり、結線部１８を遠方まで延ばす必要がないため、配線経路を短くすることが可能となり、組付作業性の改善も見込むことができる。
【００２５】
また、収納部９ｅの前面部９ｄは、食品保存室３と冷却室６とを区画する仕切り板１０と接している。仕切り板１０は、例えばＡＢＳ樹脂およびＰＳ材などで成形され、ある程度の柔軟性を持たせているため、固定方法次第で食品保存室側または冷却室側にたわむ可能性がある。そこで、収納部９ｅの前面部９ｄが仕切り板１０と接する構成とし、仕切り板１０と接する前面部９ｄの面積を大きくすることにより、仕切り板１０のたわみを抑制することが可能となる。また、食品保存室３および冷却室６に形成される風路が均一化されやすくなるため、量産時に断熱箱体１毎の冷却性能のムラが小さくなる。
【００２６】
図５は、図２のＶ−Ｖ断面図に沿う除霜水受けトレイ９の側面断面図である。図６は、図２のＸ−Ｘ断面図に沿う除霜水受けトレイ９の収納部９ｅの断面図である。
図５および図６に示すように、電気品配線１６は、除霜水受けトレイ９の配線固定部９ｆは引っ掛けられており、電気品配線１６の先端部に設けられている結線部１８が収納部９ｅへ収納されている。このように、電気品配線１６を一旦、除霜水受け部９ａ側へ通すことで、電気品配線１６を伝って滴下してくる除霜水を除霜水受け部９ａへ流入させている。そのため、電気品および結線部１８を防水テープあるいは防水袋などで保護する、または、結線部１８を遠方まで延ばすといった、除霜水を電気品および結線部１８に浸入させないようにするための対策が不要となり、コストを削減することができる。また、除霜水が食品保存室側へ流入するのを抑制することができる。
【００２７】
また、図６に示すように、除霜水受けトレイ９の背面部は、内箱１ａと接触した状態で固定されており、仕切り板１０とも接触している。さらに、除霜水受けトレイ９の収納部９ｅは、内箱１ａに一部が埋設されている。そのため、除霜水受けトレイ９と内箱１ａとの位置固定を容易に行うことができるとともに、組付作業によるばらつきを抑えることができるため、冷蔵庫１００の品質をより安定させることができる。
【００２８】
以上、本実施の形態に係る冷蔵庫１００は、空気を冷却する冷却器８と、冷却器８に付着した霜を溶かす霜取りヒータ１１と、冷却器８の側面に設けられた電気品配線１６と、冷却器８の下方に設けられ、霜取りヒータ１１により溶かされた霜である除霜水を受ける除霜水受けトレイ９と、を備え、除霜水受けトレイ９の側壁９ｇの外側には、電気品配線１６の結線部１８を収納する収納部９ｅが設けられており、収納部９ｅは、底面側が開口しているものである。
【００２９】
本実施の形態に係る冷蔵庫１００によれば、電気品配線１６の結線部１８を収納する収納部９ｅは、底面側が開口しているため、霜取りヒータ１１のリード線が除霜水に浸漬するのを防ぐことができる。
【００３０】
また、本実施の形態に係る冷蔵庫１００は、外箱１ｂと内箱１ａとの間に断熱材１ｃが充填されて構成されている断熱箱体１を備え、収納部９ｅは、内箱１ａに一部が埋設されているものである。
【００３１】
本実施の形態に係る冷蔵庫１００によれば、収納部９ｅは、内箱１ａに一部が埋設されている。そのため、除霜水受けトレイ９と内箱１ａとの位置固定を容易に行うことができるとともに、組付作業によるばらつきを抑えることができるため、冷蔵庫１００の品質をより安定させることができる。
【符号の説明】
【００３２】
１  断熱箱体、１ａ  内箱、１ｂ  外箱、１ｃ  断熱材、２  扉、３  食品保存室、４  棚、５  バスケット、６  冷却室、７  庫内ファン、８  冷却器、９  除霜水受けトレイ、９ａ  除霜水受け部、９ｂ  板金取付部、９ｃ  排水口、９ｄ  前面部、９ｅ  収納部、９ｆ  配線固定部、９ｇ  側壁、１０  仕切り板、１１  霜取りヒータ、１２  ドレンパイプ、１３  蒸発皿、１４  圧縮機、１５  温度ヒューズ、１６  電気品配線、１７  霜取りヒータ固定用板金、１８  結線部、１００  冷蔵庫。
【図１】
0006937938.tif 000002
【図２】
0006937938.tif 000003
【図３】
0006937938.tif 000004
【図４】
0006937938.tif 000005
【図５】
0006937938.tif 000006
【図６】
0006937938.tif 000007